(57)【要約】【課題】  化粧料を充填したレフィル容器を確実に保持するとともに容易に取り外すことができるコンパクト容器を提供する。【解決手段】  レフィル容器８の外周に形成した係止溝に、本体２内の第１収納室１２に形成した係止条と正立させた仕切り体６の係止条で係止可能とし、レフィル容器８を固定する。また仕切り体６は、長手方向の軸１９を中心に回動可能で、かつレフィル容器８を固定した状態で本体２に係合するよう設ける。  これにより、レフィル容器８を固定できるとともに仕切り体６を回動させることにより係止条の係合を解除し、簡易にレフィル容器８を取り出すことができる。【選択図】図１
2005160593.tif 000002
【特許請求の範囲】
【請求項１】
蓋体（４）を開閉回動自在に蝶番結合した薄皿状の本体（２）に、該本体（２）内を第１収納室（１２）と第２収納室（１３）とに仕切ると共に、前記第１収納室（１２）内に、化粧料収納用の肉薄な金属プレス成形品であるレフィル容器（８）を着脱自在に組付け保持する仕切り体（６）を組付けたコンパクト容器であって、角取りした四角薄皿状の前記レフィル容器（８）の外壁（１６）外周面四隅部に、横溝状の係止溝（１７）を設け、該係止溝（１７）に係止する第１係止条（７）を、前記本体（２）の周壁（３）内周面に、同様に前記係止溝（１７）に係止する第２係止条（２７）を、前記仕切り体（６）の側面にそれぞれ設け、前記本体（２）の対向した周壁（３）部分に、前記仕切り体（６）を軸支して、該仕切り体（６）を、前記レフィル容器（８）を係止保持する位置と、該係止保持を解除する位置との間で回動可能とし、前記本体（２）の周壁（３）部分に、前記仕切り体（６）の一端から延出した係止腕を係止して、該仕切り体（６）をレフィル容器（８）の係止保持位置に保持する係止機能部分を設けたコンパクト容器。
【請求項２】
前記仕切り体の下端を前記本体の底面に接触させ、該仕切り体の回動動作の支点とする構成とした請求項１記載のコンパクト容器。
【請求項３】
前記仕切り体の下部に、前記レフィル容器の底面下側に延出される持ち上げ片を設け、該仕切り体を回動させると前記持ち上げ片が前記レフィル容器の一端を持ち上げるように構成した請求項１または２記載のコンパクト容器。
【発明の詳細な説明】
【技術分野】
【０００１】
本発明は、仕切り体で、収納空間を仕切ると共に、化粧料を収納した中皿であるレフィル容器を着脱自在に保持するコンパクト容器に関するものである。
【背景技術】
【０００２】
粉末化粧料や固形化粧料等の化粧料は、中皿に収容された状態でコンパクト容器に収納され、更にこの化粧料を収容した中皿を、コンパクト容器に対して着脱自在で交換可能なレフィル容器とし、これにより経済性および利便性を高めたものが多用されている。
【０００３】
この中皿であるレフィル容器としては、機械的強度および成形寸法精度さらには内容物の収納保持性が優れており、また成形材料が物性的に安定しており、さらに軽量で安価であることから、アルミニウム等の薄肉な金属プレス成形品が多く使用されている。
【０００４】
また、中皿であるレフィル容器を着脱自在に組付けるコンパクト容器として、コンパクト容器の収納空間を仕切ると共に、レフィル容器を組付け保持する仕切り体を、コンパクト容器の本体に、その一端で枢支し、他端を乗り越え可能に係止することにより、揺動変位可能に組付け、この仕切り体の揺動変位により、本体に対するレフィル容器の着脱を自在としたものがある。
【０００５】
【特許文献１】実公昭６３−０４０１６３号公報
【発明の開示】
【発明が解決しようとする課題】
【０００６】
しかしながら、特許文献１に開示された従来技術にあっては、仕切り体は、一体に設けた押え突条をレフィル容器の上面に当接させて、本体の底壁との間で支持する構成であるので、仕切り体の上端部がレフィル容器よりも上位に位置することになり、このため仕切り体の上端部が、レフィル容器に収納されている化粧料の使用の邪魔となる、と云う問題があった。
【０００７】
また、レフィル容器が肉薄な金属プレス成形品である場合には、仕切り体の押え突条がレフィル容器の開口領域内まで侵入してしまい、レフィル容器に収納されている化粧料の一部を隠してしまうので、化粧料の消費に無駄の生じる恐れがある、と云う問題があった。
【０００８】
さらに、本体にも、レフィル容器の上面に当接して、レフィル容器の保持を達成維持する押え突条が設けられているので、仕切り体によるレフィル容器に対する保持を解除したとしても、本体によるレフィル容器に対する保持は解除されないので、指先でレフィル容器を引上げるか引出すかしなければならないが、金属プレス成形品であるレフィル容器の開口縁には、切断加工時に成形されてしまう鋭いエッジ状の“バリ”が残存している場合が多いので、レフィル容器の指先による取出し操作時に、この“バリ”により指先に怪我をする恐れがある、と云う問題があった。
【０００９】
特に、コンパクト容器の取扱い時には、殆どの場合、指先に化粧料等の脂分が付着しており、この付着した脂分により指先が滑り易くなっているので、上記した怪我をする確率が高いものとなっている。
【００１０】
そこで、本発明は、上記した従来技術における問題点を解消すべく創案されたもので、本体に対するレフィル容器の収納保持を、レフィル容器の上に本体側の部分が位置しない構成で達成することを技術的課題とし、もってレフィル容器内の化粧料の使用を、良好な状態で行うことができるようにすると共に、レフィル容器を本体から持ち上げて離脱できるようにすることを目的とする。
【課題を解決するための手段】
【００１１】
上記技術的課題を解決する本発明の内、請求項１記載の発明は、
蓋体を開閉回動自在に蝶番結合した薄皿状の本体に、この本体内を第１収納室と第２収納室とに仕切ると共に、第１収納室内に、化粧料収納用の肉薄な金属プレス成形品であるレフィル容器を着脱自在に組付け保持する仕切り体を組付けたコンパクト容器であること、
角取りした四角薄皿状のレフィル容器の外壁外周面四隅部に、横溝状の係止溝を設けること、
このレフィル容器の係止溝に係止する第１係止条を、本体の周壁内周面に、同様にレフィル容器の係止溝に係止する第２係止条を、仕切り体の側面にそれぞれ設けること、
本体の対向した周壁間で仕切り体を軸支し、この仕切り体を、レフィル容器を係止保持する位置と、この係止保持を解除する位置との間で回動可能とすること、
本体の対向した一方の周壁部分に、仕切り体の一端から延出した係止腕を着脱自在に係止して、この仕切り体をレフィル容器の係止保持位置に保持する係止機能部分を設けたこと、
にある。
【００１２】
請求項２記載の発明は、請求項１記載の発明の構成に、仕切り体の下端を本体の底面に接触させ、回動動作を支持させた。
【００１３】
請求項３記載の発明は、請求項１または２記載の発明の構成に、仕切り体の下部にレフィル容器の底面下側に延出される持ち上げ片を設けた。
【発明の効果】
【００１４】
本発明は、上記した構成となっているので、以下に示す効果を奏する。
【００１５】
請求項１記載の発明にあっては、本体に係止保持されたレフィル容器は、その開口部全域を露出させるので、本体および仕切り体に邪魔されることなく、レフィル容器に収納されている化粧料を、良好な状態で使用することができる。また、仕切り体をレフィル容器の外方に回動させることにより、レフィル容器に対する係止保持を解除でき、レフィル容器を容易に取り出すことができる。更に、仕切り板を正立させることにより係止条で係止し、レフィル容器をコンパクト容器に固定できる。
【００１６】
請求項２記載の発明にあっては、仕切り体の下端を支点とした回動動作により、レフィル容器に対する係止を確実に解除することができる。また、仕切り体の側壁の下端を支点としているため、押し下げる方向の力に対して強度が高く、軸に直接回動のための押し下げ力が加えられないことから高い耐久性を実現できる。
【００１７】
請求項３記載の発明にあっては、仕切り体をレフィル容器の外方に回動させることにより、レフィル容器に対する係止保持を解除でき、かつ持ち上げ片でレフィル容器の一端を持ち上げることができ、これによりレフィル容器に触れることなく、このレフィル容器をコンパクト容器から容易に取り外すことができる。
【発明を実施するための最良の形態】
【００１８】
本発明にかかるコンパクト容器の一実施形態を、図面を参照しながら説明する。
【００１９】
コンパクト容器１を図１に示す。コンパクト容器１は図１に示すように、本体２と、本体２の後端部に開閉回動自在に蝶番結合された蓋体４と、本体２の内部に取り付けられた仕切り体６と、本体２内に着脱可能に組付けられる中皿としてのレフィル容器８等から構成されている。
【００２０】
蓋体４は薄皿状で、内面に鏡５が固着してあり、前方に係合爪１０を有している。
【００２１】
本体２は、角取りした四角薄皿状の容器で、前方に、係合爪１０に係合して蓋体４を閉じ、指先による押圧操作により開放させるフック体１１を備えている。本体２の内部には仕切り体６が回動自在に取り付けられており、仕切り体６により内部が第１収納室１２とパフ等の化粧具を収納する第２収納室１３とに仕切られている。
【００２２】
本体２の周壁３内面には、第１収納室１２側の両隅部に係止条７が突出した状態で形成してあり、また周壁３の手前側と奥側の中央部分には、図６に示す支持溝９がそれぞれ形成してある。更に図６に示すように周壁３の奥側には、板厚を薄くし、かつ後述する仕切り体６の係止腕としての引き上げ片１４を着脱自在に係止する係止溝１５が形成してある。これら引き上げ片１４と係止溝１５で係止機能部分を構成する。
【００２３】
レフィル容器８はアルミニウムなどからなる肉薄なプレス成形品で、図１に示すように、第１収納室１２の深さよりも僅かに浅い角取りした四角薄皿形状をし、内部に固形化粧料１８が充填されている。レフィル容器８の外壁１６の外周面四隅部には、横溝状の係止溝１７が陥没状に湾曲形成してある。この係止溝１７は、第１係止条７に対応し第１係止条７に係合可能に形成してあり、更に外壁１６の内周面に突出した部分は、内部に収納した固形化粧料１８を保持する機能を有している。
【００２４】
仕切り体６は図２に示すように、縦長で、長手方向の両端表側にレフィル容器８の隅部の湾曲に合致する湾曲面が円弧状に形成してある。（ここで仕切り体６の湾曲部側を表、その逆側を裏とする。）その湾曲面内に第１係止条７と同形の第２係止条２７がそれぞれ設けられている。また、長手方向両端には軸１９が設けられ、仕切り体６の図面奥側には引き上げ片１４が図面奥に向かって延びている。引き上げ片１４は、図５に示すように上下に屈曲し、引き上げ片１４が係止溝１５に係合すると図６に示すように仕切り体６の上面と周壁３の上端面の高さが一致するようになっている。軸１９は、図６に示すように支持溝９に嵌合すると、回動自在に保持され、かつ軸１９の上方及び両側方が係止され、仕切り体６の抜けを防止している。尚、軸１９は支持溝９に着脱自在としてもよい。
【００２５】
図３、図４に仕切り体６の断面を示す。仕切り体６は、上面に天板２０を有し、天板２０の両側に下方に向けて延びる表側板２１、及び裏側板２２が間隔をあけて取り付けられている。
【００２６】
表側板２１は、レフィル容器８の外壁１６の側面形状に沿って形成され、その中央下部に持ち上げ片２３が表側に延設されている。持ち上げ片２３は、仕切り体６が本体２に取り付けられると、本体２の底板２４に形成された溝部２５内に収納され、本体２に取り付けられるレフィル容器８の下部に位置している。
【００２７】
裏側板２２は天板２０のほぼ中央部分に取り付けられ、天板２０の裏が庇状に突出された状態で第２収納室１３の一側壁を形成する。更に裏側板２２の両端部分は、軸１９の中心位置とほぼ一致した位置に配置されている状態で下方に延長されている。したがって本体２内に仕切り体６を組み付けると、本体２の底板２４上に後側板２２の両端が軸１９の中心軸の真下の位置で接触する。
【００２８】
仕切り体６は、天板２０の上面が本体２の上端面と等しい高さ位置となるようにしてあり、これによりレフィル容器８の上端縁が、仕切り体６の上方に突出しないようにしている。したがってレフィル容器８の上端縁のエッジ部が指先に触れることがない。
【００２９】
次にコンパクト容器１の作用について説明する。
【００３０】
コンパクト容器１の第１収納室１２には固形化粧料１８が充填されているレフィル容器８が収納されている。レフィル容器８は、外壁１６に形成された係止溝１７が、本体２の周壁３に形成された第１係止条７と、仕切り体６に形成された第２係止条２７により係合され（図３に示す。）、固定されている。かかる状態で蓋体４を開き、第２収納室１３に収納されているパフ（図示せず）などを用いて化粧を行うことができる。
【００３１】
そして、レフィル容器８をコンパクト容器１から取り出すときは、仕切り体６の天板２０の第２収納室１３側の端を押し下げる。すると仕切り体６は、図４に示すように軸１９を回動中心とし、裏側壁２２の下端が底板２４上を移動しながら支持点として回動する。仕切り体６が回動すると、第２係止条２７がレフィル容器８の係止溝１７から抜け出るとともに、持ち上げ片２３によりレフィル容器８の一端が持ち上げられ、レフィル容器８が本体２から取り出される。
【００３２】
このように、レフィル容器８に直接触れることなく、レフィル容器８を持ち上げ確実に取外すことができるので、レフィル容器８の開口部のエッジで指先を傷付けることなく、簡易、かつ確実にレフィル容器８を取り出すことができる。
【００３３】
更に仕切り体６は、後側壁２２の下端が本体２の底板２４に接触し、底板２４上を移動しながら回動するため上からの押し付け力に対する強度は高く、軸１９は、上方向への抜けと水平方向の位置の保持に用いるのみで、仕切り体６を押し下げたことにより大きな力を受けることはなく、軸周りの耐久性を高くできる。
【００３４】
また、新たなレフィル容器８を用意し、仕切り体６を回動させた第１収納室１２に置き、仕切り体６の裏側の庇状に形成された天板２０に指を掛けて正立させれば、係止溝１７が、第１係止条７と、第２係止条２７にそれぞれ係合され、新たなレフィル容器８を本体２に容易に固定できる。
【００３５】
なお本実施例では全体が横長となった横型のコンパクト容器において仕切り体６を本体２の前後に対向する周壁３に渡した例を示しているが、目的に応じてこの仕切り体６を左右に対向する周壁３に渡した構成とすることもできる。またさらには縦長となった縦型のコンパクト容器にも適用できることは云うまでもない。
【図面の簡単な説明】
【００３６】
【図１】本発明のコンパクト容器を示す外観斜視図である。
【図２】仕切り体を示す外観斜視図である。
【図３】図２に示した仕切り体を示す一部断面図である。
【図４】図２に示した仕切り体の動きを示す一部断面図である。
【図５】図２に示した仕切り体を示す一部拡大斜視図である。
【図６】図２に示した仕切り体を示す一部拡大斜視図である。
【符号の説明】
【００３７】
１    コンパクト容器
２    本体
３    周壁
４    蓋体
５    鏡
６    仕切り体
７    第１係止条
８    レフィル容器
９    支持溝
１０  係合爪
１１  フック体
１２  第１収納室
１３  第２収納室
１４  引き上げ片
１５  係合溝
１６  外壁
１７  係止溝
１８  固形化粧料
１９  軸
２０  天板
２１  表側板
２２  裏側板
２３  持ち上げ片
２４  底板
２５  溝部
２７  第２係止条
【図１】
2005160593.tif 000003
【図２】
2005160593.tif 000004
【図３】
2005160593.tif 000005
【図４】
2005160593.tif 000006
【図５】
2005160593.tif 000007
【図６】
2005160593.tif 000008
【手続補正書】
【提出日】平成16年1月23日(2004.1.23)
【手続補正１】
【補正対象書類名】図面
【補正対象項目名】全図
【補正方法】変更
【補正の内容】
【図１】
2005160593.tif 000009
【図２】
2005160593.tif 000010
【図３】
2005160593.tif 000011
【図４】
2005160593.tif 000012
【図５】
2005160593.tif 000013
【図６】
2005160593.tif 000014